(57)【要約】【課題】より効果的な展示を行うことができる展示装置等を提供する。【解決手段】展示装置１は、展示対象２１を有する展示部２０の前面にフレーム１０を設けて構成される。展示部２０は、展示対象２１を取付けて保持した板状部材である。フレーム１０には、各展示対象２１に対応する位置に調光素子１１が用いられる。調光素子１１は、その光学的特性の変化により透過率が制御可能なものであり、透過率を制御することにより、展示対象２１を視認可能としたり、不可視としたりできる。【選択図】図１
2017189279.tif 000002
【特許請求の範囲】
【請求項１】
展示対象を有する展示部と、
前記展示対象に対応する位置に配置された調光素子と、
を有し、
前記調光素子は、その光学的特性の変化により透過率を制御可能であることを特徴とする展示装置。
【請求項２】
前記調光素子は、エレクトロクロミック素子、液晶シャッター素子、エレクトロウェッティング素子のいずれかであることを特徴とする請求項１記載の展示装置。
【請求項３】
１つの前記調光素子が、少なくとも前記展示対象に対応する大きさの平面を有することを特徴とする請求項１または請求項２記載の展示装置。
【請求項４】
前記調光素子は、前記展示対象が不可視となる第１の透過率と、前記第１の透過率より大きく前記展示対象が視認可能となる第２の透過率とに制御可能であることを特徴とする請求項１から請求項３のいずれかに記載の展示装置。
【請求項５】
前記調光素子は、前記第１、第２の透過率の間の中間値である第３の透過率に制御可能であることを特徴とする請求項４記載の展示装置。
【請求項６】
前記調光素子は、少なくともある透過率において有彩色となることを特徴とする請求項１から請求項５のいずれかに記載の展示装置。
【請求項７】
前記展示部は複数の前記展示対象を有し、
複数の前記調光素子が各展示対象に対応する位置にそれぞれ配置され、
制御部により、各調光素子の透過率を制御することを特徴とする請求項１から請求項６のいずれかに記載の展示装置。
【請求項８】
制御部により、予め設定された時間に前記調光素子を所定の透過率に制御することを特徴とする請求項１から請求項７のいずれかに記載の展示装置。
【請求項９】
制御部により、ユーザの指示に応じて前記調光素子を所定の透過率に制御することを特徴とする請求項１から請求項８のいずれかに記載の展示装置。
【請求項１０】
前記展示部は複数の前記展示対象を有し、
複数の前記調光素子が各展示対象に対応する位置にそれぞれ配置され、
前記制御部は、ユーザによって指定された属性に該当する展示対象に対応する前記調光素子の透過率を制御して当該展示対象を視認可能とするとともに、その他の前記調光素子の透過率を制御してその他の前記展示対象を不可視とすることを特徴とする請求項９記載の展示装置。
【請求項１１】
前記制御部は、複数の項目について属性の指定を受付け、指定された全ての属性に該当する展示対象に対応する前記調光素子を制御して当該展示対象を視認可能とすることを特徴とする請求項１０記載の展示装置。
【請求項１２】
請求項１から請求項１１のいずれかに記載の複数の展示装置と、
前記複数の展示装置の前記調光素子の透過率を制御する制御部と、
を有することを特徴とする展示システム。
【発明の詳細な説明】
【技術分野】
【０００１】
本発明は展示装置、展示システムに関する。
【背景技術】
【０００２】
写真など様々な対象物を展示するフォトフレーム等の展示装置が知られている。特許文献１には、写真等を展示するためのフォトフレームの例が記載されており、特許文献２にはデジタル画像を表示させて鑑賞するためのデジタルフォトフレームの例が記載されている。
【先行技術文献】
【特許文献】
【０００３】
【特許文献１】特開2014-135988号公報
【特許文献２】特開2015-092754号公報
【発明の概要】
【発明が解決しようとする課題】
【０００４】
現在、このような展示装置について、人の目を引くより効果的な展示を行うことが望まれている。効果的な展示を行うためには展示状態を何らかの形で変化させることが考えられるが、例えばフォトフレームの場合、写真等をフォトフレームに取付けた後はその展示状態に変化が無く、展示状態を変化させるには写真等を入れ替える必要があり手間が掛かる。
【０００５】
デジタルフォトフレームでは、表示するデジタル画像を変えて展示状態を変化させることができ写真等を入れ替える作業は必要ないが、画像としては１枚しか表示することができず、また高精細な表示を行うため多数の画像素子を必要とし回路も複雑になるので、一般的に高価であり画面が小さいものも多い。
【０００６】
本発明は上記の問題に鑑みてなされたものであり、より効果的な展示を行うことができる展示装置等を提供することを目的とする。
【課題を解決するための手段】
【０００７】
前述した課題を解決するための第１の発明は、展示対象を有する展示部と、前記展示対象に対応する位置に配置された調光素子と、を有し、前記調光素子は、その光学的特性の変化により透過率を制御可能であることを特徴とする展示装置である。
【０００８】
本発明の展示装置では、調光素子の透過率の制御によって写真等の展示対象の見え方に容易に変化を与えることができ、これにより効果的な展示を行うことができる。また調光素子は１つの展示対象につき１つだけ設ければ十分なので、回路等が複雑とならず安価且つサイズの大きな展示対象を展示可能な構成とできる。
【０００９】
前記調光素子は、エレクトロクロミック素子、液晶シャッター素子、エレクトロウェッティング素子のいずれかであることが望ましい。
調光素子としては例えばこれらの素子を用いることができ、その光学的特性の変化により透過率を好適に制御できる。
【００１０】
１つの前記調光素子が、少なくとも前記展示対象に対応する大きさの平面を有することが望ましい。
前記した通り、調光素子は１つの展示対象に対応する大きさを有する大型のものを１つだけ設ければ良く、回路等を簡単な構成とできる。
【００１１】
前記調光素子は、前記展示対象が不可視となる第１の透過率と、前記第１の透過率より大きく前記展示対象が視認可能となる第２の透過率とに制御可能であることが望ましい。
この場合、展示対象の表示、非表示の制御が簡単になる。
【００１２】
前記調光素子は、前記第１、第２の透過率の間の中間値である第３の透過率に制御可能であることも望ましい。
この場合、より多様な展示対象の表示を実現できる。
【００１３】
前記調光素子は、少なくともある透過率において有彩色となることが望ましい。
これにより、より面白みのある展示対象の表示ができるようになる。
【００１４】
前記展示部は複数の前記展示対象を有し、複数の前記調光素子が各展示対象に対応する位置にそれぞれ配置され、制御部により、各調光素子の透過率を制御することが望ましい。
これにより、複数の展示対象の表示、非表示を切り替えて、選択的な展示対象の表示が可能になり、表示される展示対象の組合せによって展示に変化を与えることができる。
【００１５】
制御部により、予め設定された時間に前記調光素子を所定の透過率に制御することが望ましい。
これにより自動的に表示を変化させることができ、展示対象の表示期間あるいは非表示期間を変えるなど、表示、非表示のパターンを任意に設定することが可能である。
【００１６】
制御部により、ユーザの指示に応じて前記調光素子を所定の透過率に制御することも望ましい。
これにより、ユーザが見たい展示対象を表示させることができ、その逆も可能である。
【００１７】
また、前記展示部は複数の前記展示対象を有し、複数の前記調光素子が各展示対象に対応する位置にそれぞれ配置され、前記制御部は、ユーザによって指定された属性に該当する展示対象に対応する前記調光素子の透過率を制御して当該展示対象を視認可能とするとともに、その他の前記調光素子の透過率を制御してその他の前記展示対象を不可視とすることが望ましい。さらに、前記制御部は、複数の項目について属性の指定を受付け、指定された全ての属性に該当する展示対象に対応する前記調光素子を制御して当該展示対象を視認可能とすることも望ましい。
これにより、ユーザが指定した属性に基づいて展示対象を選択的に表示することができ、展示対象の絞り込みが可能になる。また複数の属性に基づいて展示対象の表示を行うことで、多面的な展示対象の絞り込みが可能になる。
【００１８】
第２の発明は、第１の発明の複数の展示装置と、前記複数の展示装置の前記調光素子の透過率を制御する制御部と、を有することを特徴とする展示システムである。
これにより、別体の展示装置間で展示対象の表示を連携させることができる。
【発明の効果】
【００１９】
本発明により、より効果的な展示を行うことができる展示装置等を提供することができる。
【図面の簡単な説明】
【００２０】
【図１】展示装置１を説明する図
【図２】展示装置１を示す図
【図３】展示装置１ａを示す図
【図４】展示装置１ｂ、１ｂ’を示す図
【図５】展示装置１ｃを示す図
【図６】展示システム１００を示す図
【図７】展示装置１ｅ、１ｆを説明する図
【図８】展示装置１ｇを示す図
【図９】展示装置１ｈを示す図
【図１０】商品データ１４１、商品選択データ１４２を示す図
【発明を実施するための形態】
【００２１】
以下、図面に基づいて本発明の好適な実施形態について詳細に説明する。
【００２２】
[第１の実施形態]
図１は本発明の第１の実施形態に係る展示装置１を説明する図である。図１（ａ）は展示装置１の前面を示す図であり、図１（ｂ）は図１（ｂ）の線Ａ−Ａによる断面を示す図である。図１（ｃ）は展示装置１の展示部２０を示す図である。
【００２３】
図１に示すように、展示装置１は、展示対象２１を有する展示部２０の前面に一体のフレーム１０を設けて構成される。なお、展示装置１において前とは展示対象２１を見るユーザの方向をいうものとする。
【００２４】
展示部２０は、展示対象２１を取付けて保持する板状部材である。本実施形態では、図１（ｃ）に示すように矩形状の平面を有する展示部２０が用いられ、縦２行横２列の計４つの展示対象２１が前面に取付けられる。展示対象２１は展示部２０に対し取付け、取外しを行うことが可能である。展示対象２１は例えば写真であるが、これに限ることはない。写真のほか、絵画やカレンダーなども展示対象２１とできる。
【００２５】
フレーム１０は、図１（ｂ）に示すように前後一対の透明基材１２ａ、１２ｂの間に加飾層１３と複数の調光素子１１を設けて構成される。なお図１（ａ）では透明基材１２ａの図示を省略している。
【００２６】
透明基材１２ａ、１２ｂには、ガラスや樹脂フィルムなどの薄厚且つ光を透過する透明な部材が用いられる。また透明基材１２ａ、１２ｂの対向する面には、調光素子１１に電圧を印加し透過率を変化させるためのＩＴＯ（酸化インジウムスズ）等による透明電極（不図示）が設けられる。
【００２７】
加飾層１３は平面において格子状に構成され、各展示対象２１に対応する位置が開口となっている。加飾層１３はフレーム１０における枠体として機能するとともに、透明基材１２ｂなどに設けられた配線等を隠す役割を有する。加飾層１３を色付きのものとし、デザイン性を付与することも可能である。
【００２８】
調光素子１１は、各展示対象２１に対応する位置にそれぞれ配置される。すなわち、調光素子１１は、加飾層１３の各開口に前後の透明基材１２ａ、１２ｂの間に挟まれるようにして配置され、その位置に調光面を形成する。
【００２９】
調光素子１１は、光の反射、吸収、偏光、散乱、屈折特性など素子自体の光学的特性の変化により透過率が制御可能なものである。本実施形態では、少なくとも展示対象２１に対応する大きさの平面を持つ大型のエレクトロクロミック素子が、１つの展示対象２１につき１つ用いられる。エレクトロクロミック素子は平面においてマトリクス状に区画されずに連続しており、この単一のエレクトロクロミック素子の制御により調光面全体の透過率が一様に変化するようになっている。
【００３０】
エレクトロクロミック素子については既知である（例えば、特開2015-028580号公報参照）が簡単に説明すると、エレクトロクロミック化合物に電圧を印加することで可逆的な酸化還元反応を生じさせ、当該化合物を発色させて光の反射あるいは吸収率を高めて透過率を低下させたり、当該化合物を消色させて逆に透過率を上昇させたりするものである。このような化合物としては酸化タングステン、酸化イリジウムなどの無機酸化物、プルシアンブルーなどの金属錯体化合物、導電性高分子化合物、ピオロゲン化合物、ロイコ染料系化合物、テレフタル酸化合物などの有機化合物などがあり、完全に消色している場合以外では、発色時の色によって調光素子１１を白あるいは黒以外の有彩色とすることもできる。化合物の選択によりその色を変えることも可能である。
【００３１】
また本実施形態では展示装置１にコントローラ３０（制御部）が設けられており、コントローラ３０により各調光素子１１への電圧の印加を制御することで各調光素子１１の透過率の制御が可能である。
【００３２】
図１（ａ）の例では、下２つの調光素子１１の透過率が、展示対象２１を不可視とする値（第１の透過率）に制御されており、上２つの調光素子１１の透過率は、上記値より大きな値（第２の透過率）に制御され、背後の展示対象２１が視認可能となっている。例えばこの状態から上２つの調光素子１１の透過率を上記第１の透過率とし、下２つの調光素子１１の透過率を上記第２の透過率とすることで、図２に示すように、展示対象２１の表示、非表示のパターンを反転させることができる。
【００３３】
コントローラ３０では、各調光素子１１を上記第１、第２の透過率（所定の透過率）とする時間を予め設定しておき、これに基づいて、予め設定した時間に各調光素子１１を第１あるいは第２の透過率に制御することができる。これにより各展示対象２１の表示、非表示のパターンを自動で変化させることができる。本実施形態では、例えば所定の時間間隔で図１（ａ）に示す展示状態と図２に示す展示状態を交互に繰り返すことができる。
【００３４】
しかしながら、展示状態の変化は様々であり、上記のように所定の時間間隔で表示と非表示を繰り返すほか、表示期間より非表示期間を長くあるいは短くしたり、所定時間になると展示対象２１の表示を行ったりすることもできる。このように、展示対象２１の表示、非表示のパターンは任意に設定できる。
【００３５】
以上説明したように、本実施形態の展示装置１では、調光素子１１の透過率の制御によって写真等の展示対象２１の見え方に容易に変化を与えることができ、これにより効果的な展示を行うことができる。また調光素子１１は１つの展示対象２１につき１つだけ設ければ十分なので、回路等が複雑とならず安価且つサイズの大きな展示対象２１を展示可能な構成とできる。
【００３６】
調光素子１１としては前記のようにエレクトロクロミック素子を用いることができ、その光学的特性の変化により透過率を好適に制御できる。また１つの調光素子１１を少なくとも１つの展示対象２１に対応する大きさを有する大型のものとすることで、上記したように回路等を簡単な構成とできる。ただし、展示対象２１よりも小さな調光素子１１を、１つの展示対象２１につき複数並べて配置することは可能である。
【００３７】
また、展示装置１はコントローラ３０によって調光素子１１を前記した第１、第２の透過率に制御するので、簡単な制御で展示対象２１の表示、非表示のパターンを設定できる。またコントローラ３０によって複数の調光素子１１の透過率を制御することにより、複数の展示対象２１の表示、非表示を切り替えて選択的な展示対象２１の表示が可能になり、表示される展示対象２１の組合せによって展示に変化を与えることができる。
【００３８】
また、コントローラ３０は、予め設定された時間に調光素子１１を所定の透過率に制御するので、自動的に表示を変化させることができ、展示対象２１の表示期間あるいは非表示期間を変えるなど、表示、非表示のパターンを任意に設定することが可能である。
【００３９】
しかしながら、本発明はこれに限ることはない。例えば調光素子１１はその光学的特性の変化による透過率の制御が可能であればよく、前記のエレクトロクロミック素子に代えて例えば大型の液晶シャッター素子やエレクトロウェッティング素子なども用いることができる。
【００４０】
これらの素子については既知であるが簡単に説明すると、液晶シャッター素子は液晶層や偏光板等を備え、電圧の印加により液晶層の液晶の配向方向を変えて偏光特性を変化させることで透過率の制御を行うものであり、既存の液晶表示装置などにも用いられている（例えば特開2008-145548号公報参照）。液晶シャッター素子に既知のカラーフィルタを設けることで、展示対象２１を視認可能な透過率とした時に有彩色とすることができ、カラーフィルタの選択によってその色を変化させることも可能である。また液晶シャッター素子として、液晶の周囲にポリマー層を設け、電圧の印加により液晶の配向方向を変えて屈折率（散乱特性）を変化させることで透過率の制御を行うポリマー分散型液晶シャッター素子（例えば特開2000-147476号公報参照）を用いることも可能である。
【００４１】
エレクトロウェッティング素子は、着色したオイルの膜で疎水性表面を覆い、その上に水など光の透過率の高い親水性の液体を設けることで形成されており、電圧の印加により疎水性表面のぬれ性を変化させて親水性とし、この時疎水性表面上のオイルが移動することにより透過率の制御を行うものである（例えば特開2013-014746号公報参照）。オイルの膜による疎水性表面の被覆面積が大きければ、当該オイルによる光の反射あるいは吸収によって素子の透過率は低下し、上記のようにオイルが移動して被覆面積が小さくなれば逆に透過率が上昇する。オイルに白あるいは黒以外の着色を行うことで、素子の透過率が最高値となる場合以外に有彩色とでき、着色材の選択によりその色を変えることもできる。エレクトロウェッティング素子やエレクトロクロミック素子については、有彩色とする場合にカラーフィルタが不要であり簡易な構成とできる利点もある。
【００４２】
さらに、展示装置１の形状も上記に限らず、フレーム１０や展示部２０の形状は任意に定めることができる。例えば図３の展示装置１ａに示すように、左右のフレーム１０ａの側辺をヒンジ（不図示）等により展示部２０の両側辺に回転可能に取付け、フレーム１０ａを扉状に開閉可能としてもよい。この例では各フレーム１０ａが上下２つの調光素子１１を有しており、これら２つの調光素子１１が展示部２０の左あるいは右側の２つの展示対象２１の位置に対応している。
【００４３】
また展示対象２１および調光素子１１の数も上記したものに限らない。例えば図４（ａ）の展示装置１ｂは一体のフレーム１０に縦３行横３列の計９つの調光素子１１を設けた例であり、各調光素子１１が展示部の９つの展示対象２１のそれぞれに対応する位置に配置される。この例では、例えば図４（ａ）に示すように各展示対象２１の表示、非表示のパターンを所定の時間間隔で交互に繰り返すことができる。
【００４４】
また図４（ｂ）の展示装置１ｂ’は一体のフレーム１０に３つの調光素子１１を横に並べて設けた例であり、各調光素子１１が展示部の３つの展示対象２１のそれぞれに対応する位置に配置される。この例では、図４（ｂ）に示すように、所定の時間間隔で左側の調光素子１１から右側の調光素子１１へと順に透過率を高くして展示対象２１を表示してゆき、全ての展示対象２１が表示された状態となった後は、全ての展示対象２１を非表示に戻している。
【００４５】
さらに、展示部２０も前記のように板状のものに限らない。例えば図５（ａ）は展示装置１ｃの前面を示す図であるが、この展示装置１ｃは、図５（ａ）の線Ｂ−Ｂによる断面を示す図５（ｂ）から分かるように、展示部２０ａが立体状であり、その内部に展示空間２２を有している。展示対象２１はこの展示空間２２に配置でき、前記のような写真や絵など平面状のものだけでなく、人形、模型、宝石など立体状のものとできる。
【００４６】
また、以上の例では予め設定された時間になると調光素子１１を所定の透過率とするような制御を行っているが、例えば操作入力部を別途設け、当該操作入力部を介したユーザの指示に応じて、コントローラ３０が各調光素子１１を所定の透過率に制御することも可能である。これによりユーザが見たい展示対象２１を表示させることができ、またその逆も可能である。
【００４７】
以下、本発明のその他の例について、第２〜第５の実施形態として説明する。各実施形態はそれまでに説明した実施形態と異なる点について説明し、同様の点については図等で同じ符号を付すなどして説明を省略する。また、第１の実施形態も含め、各実施形態で説明した構成は必要に応じて組み合わせて用いることができる。
【００４８】
[第２の実施形態]
図６は本発明の第２の実施形態を示す図である。第２の実施形態は、複数（図の例では３つ）の展示装置１ｄを配置し、これら別体の展示装置１ｄ間で表示の連携を行う例である。
【００４９】
すなわち、図６に示す展示システム１００は、複数の展示装置１ｄおよび外部のコントローラ３０（制御部）を有し、コントローラ３０は各展示装置１ｄの調光素子１１の透過率を制御することが可能である。制御方法は前記したものと同様とできる。
【００５０】
第２の実施形態では、展示装置１ｄを好みの位置に配置して各展示装置１ｄの展示部の展示対象２１の表示、非表示のパターンを任意に定め、別体の展示装置１ｄ間で表示の連携を行うことができる。なお、展示装置１ｄは１つの調光素子１１と展示対象２１を有するものであるが、各展示装置１ｄの調光素子１１と展示対象２１の数はこれに限らない。
【００５１】
[第３の実施形態]
第１、第２の実施形態では、調光素子１１の透過率を２値（第１、第２の透過率）に制御して展示対象２１の表示、非表示のパターンを定めている。しかしながら、調光素子１１の透過率はこれに限らず、印加する電圧の大きさや電圧の印加時間によって調光素子１１の透過率を上記２値の間の中間値（第３の透過率）とし、若干暗くはなるものの展示対象２１を視認可能とすることが可能である。
【００５２】
図７（ａ）の展示装置１ｅはその例である。展示装置１ｅは展示部の展示対象２１として１２カ月分のカレンダーを表示するものであり、一体のフレーム１０の縦４行横３列の計１２個の調光素子１１が、各月のカレンダーのそれぞれに対応する位置に設けられている。
【００５３】
展示装置１ｅのコントローラ（不図示）は、１ヶ月の時間間隔で各調光素子１１の透過率を変更し、現在の月（図の例では８月）のカレンダーに対応する調光素子１１は高い透過率（第２の透過率）とし、現在の月から前後に一定期間離れた月（図の例では１〜４、１２月）のカレンダーに対応する調光素子１１は低い透過率（第１の透過率）に制御してカレンダーを不可視とする。そして、その間の月（図の例では５〜７、９〜１１月）のカレンダーに対応する調光素子１１の透過率を中間値（第３の透過率）とし、その透過率が現在の月から離れるにつれ低下するように制御を行っている。このように、調光素子１１の透過率を中間的な値に制御することで、多様な展示対象２１の表示を実現することができる。
【００５４】
一方、図７（ｂ）の展示装置１ｆも１２カ月分のカレンダーを展示するものであるが、この展示装置１ｆでは、調光素子１１の透過率が中間値（第３の透過率）の場合に調光素子１１が有彩色となるようにしている。
【００５５】
図の例では、各調光素子１１の透過率を上記の中間値に制御し、且つ横方向に並んだ一行の調光素子１１を同じ色とし、各行の調光素子１１同士は異なる色としている。これにより、カレンダーが季節ごと（１２〜２月、３〜５月、６〜８月、９〜１１月）に異なる色で色味付いて視認できる。このように、少なくともある透過率において有彩色となる調光素子１１を用いることで、展示に面白みを与えることができる。
【００５６】
なお、本実施形態では、現在の月（図の例では８月）に対応する調光素子１１の透過率は上記中間値よりも高い値（第１の透過率）に設定され、現在の月のカレンダーが一目でわかるようにしている。また、この例ではフレーム１０を調光素子１１ごとに設けており、展示装置１ｆにおいて、個々のフレーム１０の取付け、取外しが自由にできる。そのため、フレーム１０のみを入れ替えることにより各月のカレンダーの色を変更することも可能である。
【００５７】
[第４の実施形態]
図８は本発明の第４の実施形態を示す図である。図８の展示装置１ｇは列車の時刻表を表示するものであり、縦２２行の横長の調光素子１１のそれぞれに対応する位置に、５時から翌日１時までの各１時間の時間帯における発車時刻が展示部の展示対象２１として設けられている。
【００５８】
展示装置１ｇのコントローラ（不図示）は、１時間の時間間隔で各調光素子１１の透過率を変更し、現在の時間帯（１時間単位の時間帯をいう。また図の例では１７時である）の発車時刻に対応する調光素子１１の透過率を高い値（第２の透過率）とし、その他の調光素子１１の透過率はそれより低いが発車時刻は視認できる中間的な値（第３の透過率）としている。さらに、現在の時間帯から前後に一定範囲内の時間帯（図の例では１５、１６、１８、１９時）については、現在の時間帯から離れるにつれ調光素子１１の透過率が徐々に低下するように透過率の制御を行っている。
【００５９】
第３の実施形態では、上記のような透過率の制御により、現在の時間帯の発車時刻が一目でわかるので好ましい。なお、本実施形態では上記一定範囲外の時間帯（図の例では５時〜１４時、２０時〜翌日１時）の発車時刻に対応する調光素子１１も当該発車時刻を視認可能な透過率としているが、発車時刻が不可視となる透過率（第１の透過率）に設定することも可能である。
【００６０】
[第５の実施形態]
図９は本発明の第５の実施形態を示す図である。図９の展示装置１ｈは、商品（図の例では腕時計）を展示部の展示空間２２に配置して展示対象２１としたものである。フレーム１０の各展示対象２１に対応する位置には調光素子１１が設けられる。
【００６１】
また本実施形態の展示装置１ｈは操作入力部４０を備えており、操作入力部４０を介したユーザの指示に応じて、各調光素子１１を所定の透過率に制御する。ユーザの指示の詳細については後述する。
【００６２】
操作入力部４０は、ユーザが操作入力を行うためのタッチパネルやボタンを備えている。ユーザは、操作入力部４０の操作により、「性別」「色」「商品タイプ」「仕様」「価格」「メーカー」などの項目について、表示したい商品の属性を指定することができる。
【００６３】
属性とは各商品の特徴やセールスポイントなどを表す情報であり、例えば「性別」の項目であれば男性用・女性用、「色」の項目であればシルバー・ブラック・ホワイト、「商品タイプ」の項目であればフォーマル・カジュアル・スポーツなどである。本実施形態では複数の項目について属性が指定できるようになっている。
【００６４】
コントローラ３０のメモリには、図１０（ａ）に示すように、各商品の商品データ１４１として、上記のような商品の項目ごとの属性１４１１が、商品に対応する調光素子１１の位置１４１２と紐づけて記録されている。
【００６５】
コントローラ３０は、操作入力部４０にて複数の項目について属性の指定を受付けると、商品データ１４１を参照し、指定された全ての属性に該当する商品に対応する調光素子１１の透過率を高い値（第２の透過率）に制御して当該商品を視認可能とする。一方、その他の調光素子１１の透過率は低い値（第１の透過率）とし、その他の商品を不可視とする。
【００６６】
その他、本実施形態では、操作入力部４０にて「今月のおすすめ」「売上ベストテン」「○○円以上」「○○製」などの属性も指定できるようになっている。コントローラ３０のメモリには、図１０（ｂ）に示すように、これらの属性１４２１と、その属性１４２１に該当する商品に対応する調光素子１１の位置１４２２を紐づけた商品選択データ１４２も記録されている。コントローラ３０は、この商品選択データ１４２を参照して、ユーザによって指定された属性１４２１に該当する商品に対応する調光素子１１の透過率を高い値（第２の透過率）に制御して当該商品を視認可能とする。一方、その他の調光素子１１の透過率は低い値（第１の透過率）とし、その他の商品を不可視とする。
【００６７】
このようなユーザの指示、すなわちユーザによる属性の指定に基づいて商品（展示対象２１）を選択的に表示することで、実物を見てウィンドーショッピングを行う場合に、あたかもネットショッピングを行っているかのように商品の属性による商品の絞り込みが可能になる。そのため、商品の特徴をユーザにわかりやすく伝えることができ、購買意欲の向上につながる。また、前者の例のように複数の属性にて商品の絞り込みを行うことで、多面的な商品の絞り込みが可能になる。
【００６８】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６９】
１、１ａ、１ｂ、１ｂ’、１ｃ、１ｄ、１ｅ、１ｆ、１ｇ、１ｈ；展示装置
１０、１０ａ；フレーム
１１；調光素子
１２ａ、１２ｂ；透明基材
１３；加飾層
２０、２０ａ；展示部
２１；展示対象
２２；展示空間
３０；コントローラ
４０；操作入力部
１００；展示システム
【図１】
2017189279.tif 000003
【図２】
2017189279.tif 000004
【図３】
2017189279.tif 000005
【図４】
2017189279.tif 000006
【図５】
2017189279.tif 000007
【図６】
2017189279.tif 000008
【図７】
2017189279.tif 000009
【図８】
2017189279.tif 000010
【図９】
2017189279.tif 000011
【図１０】
2017189279.tif 000012